(57)【要約】【課題】  屋上緑化において植物の生育に十分な通気性を確保するとともに、屋根面の垂直方向に対する優れた耐久性を備えた屋上緑化システムを提供することを課題とする。【解決手段】  屋根や屋上に植物を育成させる屋上緑化システムであって、長さ方向に設けられた複数の凸条が幅方向に互いに平行に並設された薄肉金属パネル２００上に透水シート１０５と植物を育成させるための軽量土１０６を配置した生育基盤１００を、その長さ方向が雨水流出方向に対して直角になるように屋根や屋上に備えたことを特徴とする。【選択図】  図２
2010259409.tif 000002
【特許請求の範囲】
【請求項１】
屋根や屋上に植物を育成させる屋上緑化システムであって、
長さ方向に設けられた複数の凸条が幅方向に互いに平行に並設された薄肉金属パネル上に透水シートと植物を育成させるための土壌を配置した生育基盤を、その長さ方向が雨水流出方向に対して直角になるように前記屋根や屋上に備えたことを特徴とする屋上緑化システム。
【請求項２】
前記薄肉金属パネルの前記凸条間には、複数のリブが前記凸条とほぼ平行にパネル幅方向に並設され、
前記凸条とこの凸条に隣接する前記リブとの間に、パネル表裏に貫通している所定長さの切込みが、前記凸条とほぼ平行にパネル長さ方向に一定間隔ごとに設けられていることを特徴とする請求項１に記載の屋上緑化システム。
【請求項３】
前記屋根を構成する折板山部にハゼつかみ金物を設置し、このハゼつかみ金物に設けられたボルトを用いて前記生育基盤を固定することを特徴とする請求項１または２に記載の屋上緑化システム。
【請求項４】
前記生育基盤上にタイマーの設定時刻に応じて自動散水する自動散水システムを備えたことを特徴とする請求項１ないし３のいずれか１項に記載の屋上緑化システム。
【発明の詳細な説明】
【技術分野】
【０００１】
本発明は、屋上緑化システムに関し、ことに、工場または一般住宅などの建築物の屋上、屋根上またはベランダ等（以下、これらの総称を屋上という）で植物を栽培可能にする屋上緑化システムに関する。
【背景技術】
【０００２】
近年、地球温暖化に関するニュースがマスメディアで頻繁に取り上げられて、その影響について世間の注目が集められている。
この地球温暖化は、大気中に存在する二酸化炭素などの温室効果ガスの濃度が上昇することによって引き起こされる。この影響により、自然生態系の変化や海水面の上昇といった深刻な環境破壊が問題となっている。
特に、都市部では、緑地の少なさ等からヒートアイランド現象と呼ばれる高温化現象が生じており、その対応が急務となっている。
【０００３】
このような地球温暖化問題を解消するために、ビルや工場の屋上に芝や樹木等を植栽した屋上緑化を施工するケースが増えている。この屋上緑化を施工すると、植栽した芝や樹木が大気中の二酸化炭素を吸収し酸素を放出するので、地球温暖化の要因となる二酸化炭素濃度を減少させ、大気を浄化させることができる。また、階下に伝わる熱を削減する効果もあるので、その結果、屋内の冷暖房効率が上がり、エアコンの使用頻度を軽減させ、省エネルギー効果も期待することができる。
【０００４】
このような屋上緑化を利用した従来技術の１つとして特許文献１に開示される緑化屋根が提案されている。
この特許文献１に開示される緑化屋根は、屋根上面を形成する波型折板状の外囲板の上面に、同じく波型折板状の保水板を敷き込んで構成されている。そして、この保水板上に吸水材及びネットを介して土壌を盛り、植栽を行って、屋上緑化を実現している。
また、外囲板と保水板の波型溝が互いに重なるように、保水板を敷き込むので、外囲板の下面と保水板の上面との間には、建物の棟から軒下方向に沿って角柱状の空気層が形成される。この空気層により、屋根の断熱効果を高めるとともに、植物の育成に好ましくない結露を防止することが可能となっている。
【先行技術文献】
【特許文献】
【０００５】
【特許文献１】特開２００１−１６９８２
【発明の概要】
【発明が解決しようとする課題】
【０００６】
しかしながら、前述の特許文献１に開示される緑化屋根には、以下にあげる２つの問題点がある。
その１つ目の問題点は、前述の空気層における通気が不十分であるという点である。その理由は、空気層による空気の流路が、建物の棟から軒下方向に沿った方向に限定されているためである。従って、風向きによっては十分な通気が行われないことがあるから、植物の根に対し、生育に必要な空気を充分に供給できないおそれがある。
また、２つ目の問題点は、屋根面の垂直方向にはたらく荷重への耐強度が不十分であるという点である。その理由は、前述のように、保水板は外囲板と波型溝が重なるように敷き込まれるので、特に、その重なった波型溝部分の強度が脆弱であるためである。従って、降雨により植栽部分の重量が増すと、外囲板及び保水板が変形・破損するおそれがある。
【０００７】
本発明は、上記問題点に鑑みてなされたものであり、屋上緑化において植物の生育に十分な通気性を確保するとともに、屋根面の垂直方向に対する優れた耐久性を備えた屋上緑化システムを提供することを課題とする。
【課題を解決するための手段】
【０００８】
上記課題を解決するため、本発明の屋上緑化システムは、屋根や屋上に植物を育成させる屋上緑化システムであって、長さ方向に設けられた複数の凸条が幅方向に互いに平行に並設された薄肉金属パネル上に透水シートと植物を育成させるための土壌を配置した生育基盤を、その長さ方向が雨水流出方向に対して直角になるように前記屋根や屋上に備えたことを特徴とする。
【０００９】
ここで、前記薄肉金属パネルの前記凸条間には、複数のリブが前記凸条とほぼ平行にパネル幅方向に並設され、前記凸条とこの凸条に隣接する前記リブとの間に、パネル表裏に貫通している所定長さの切込みが、前記凸条とほぼ平行にパネル長さ方向に一定間隔ごとに設けられていることを特徴とする。
【００１０】
さらに、前記屋根を構成する折板山部にハゼつかみ金物を設置し、このハゼつかみ金物に設けられたボルトを用いて前記生育基盤を固定することを特徴とする。
【００１１】
前記生育基盤上にタイマーの設定時刻に応じて自動散水する自動散水システムを備えたことを特徴とする。
【発明の効果】
【００１２】
以上のように構成することにより、本発明は、植物の生育に十分な通気性を確保できるとともに、組み立て建設が容易で、屋根面の垂直方向に対する優れた耐久性を備え、必要に応じて自動散水が可能な屋上緑化システムを提供することができる。
【発明を実施するための形態】
【００１３】
以下、図面を参照しつつ本発明に係る屋上緑化システムの実施形態を詳細に説明する。なお、以下の説明は発明をより深く理解するためのものであって、特許請求の範囲を限定するためのものではない。
【００１４】
図１は、本発明の一実施の形態における屋上緑化システムを示す上面図である。また、図２は、本発明の一実施の形態における屋上緑化システムを示す側面断面図である。
図に示すように、本実施の形態における屋上緑化システムは、植物を植えつけ生育させる生育基盤１００と、薄肉金属パネル２００等により構成されその生育基盤１００の骨組みとなるパネル構成体１０１と、このパネル構成体１０１を鉄骨梁１０３上に設けられた屋根を構成する折板１０２に取り付けて固定する取付固定部３００とを有して構成される。
【００１５】
生育基盤１００は、パネル構成体１０１内の底に透水シート１０５を敷き、軽量土１０６を埋め込み、この軽量土１０６上に植物の種を直接蒔くか植生マット１１０で被覆し、この軽量土１０６または植生マット１１０上に飛散防止ネット１０７を張り、この飛散防止ネット１０７を針金１３０により取付固定部３００に固定して構成されている。
この飛散防止ネット１０７の固定方法の詳細については後述するものとする。
【００１６】
また、取付固定部３００は、前述の屋根の折板１０２上に列状に複数取り付けられるハゼつかみ金物１０４と、これら複数のハゼつかみ金物１０４上に載置して、薄肉金属パネル２００に対する垂直下方向の耐強度を強化するアングル３１０とを有して構成される。
このハゼつかみ金物１０４は、パネル構成体１０１を屋根上に取り付けるための部材であり、屋根の折板１０２上に設けられているハゼ取合部１１１を挟持して取り付けられる。
また、アングル３１０は、２枚の同一形状・同一寸法の長板状部材を、その長手方向において略直角に連設して構成される断面Ｌ字状の部材である。
【００１７】
ここで、前述のパネル構成体１０１について詳しく説明する。
図３は、パネル構成体１０１の外観斜視図である。
パネル構成体１０１は、その底面１及び側面４を構成する薄肉金属パネル２００と、この薄肉金属パネル２００の端部を覆って薄肉金属パネル２００を支持する断面コの字型のチャンネルからなるランナー２、３やキャップ５と、ランナー２、３やキャップ５のコーナ部分を覆って固定するコーナ部材６から構成される。
【００１８】
薄肉金属パネル２００は、図４にその上面図（ａ）と下面図（ｂ）を、図５にその断面図を示すように、鋼製の板形状の材質を、正面略方形状かつ断面略角波形状に折り曲げ、切断加工して成形した金属パネルである。例えば、この薄肉金属パネル２００の完成品の大きさは、長さ２０００ｍｍ、幅６００ｍｍ、厚さ０．４ｍｍ程度である。
この薄肉金属パネル２００を複数枚連続して並べることにより、様々な大きさのパネル構成体１０１にも対応して構築することができ、フレキシビリティに富んだ屋上緑化システムを構築することができる。
【００１９】
このように、パネル鋼板を断面略角波形状に折り曲げることで、薄肉金属パネル２００には、互いに平行な複数の凸条１１が所定間隔で並設され、パネル２００自体の強度を補強している。また、パネル断面を等辺角波型に成形することで、特に表面又は裏面側からの力に対して優れた強度を発揮する。
なお、本実施の形態においては、この凸条１１の形成方向を薄肉金属パネル２００の「長さ方向」とし、薄肉金属パネル２００においてその長さ方向に垂直な方向を「幅方向」とする。
【００２０】
図に示すように、その凸条１１は、上面３１と、この上面３１の両幅方向に連設されている２面の側面３２とにより構成されている。この上面３１の幅方向の長さはここでは１５ｍｍ、側面３２の幅方向（奥行き方向）の長さはここでは１８ｍｍ程度とする。
また、互いに隣接する凸条１１の幅方向の間隔は、ここでは５０ｍｍとする。
【００２１】
また、各凸条１１間の凹面には、所定間隔ごとに、複数の幅方向の断面凸状のリブ１２と、幅方向の断面凹状の溝部１６が、凸条１１に平行に繰り返し形成されている。
本実施の形態では、幅方向に凸条１１→溝部１６→リブ１２→溝部１６→リブ１２→・・・→溝部１６→凸条１１→・・・というように設けられており、凸条１１の幅方向の両側には、溝部１６が連設されている。
このリブ１２は、幅８ｍｍ程度、高さ５ｍｍ程度で、その幅方向断面が例えば半円弧状に形成されている。また、溝部１６は、幅５ｍｍ程度に形成されている。
【００２２】
さらに、凸条１１のパネル幅方向の両端、すなわち、リブ１２とそのリブ１２に隣接する溝部１６との間の境界線上には、所定長の切込み１３が、所定間隔で凸条１１と平行に破線状に設けられている。
この破線状の切込み１３列に沿って薄肉金属パネル２００を所定の角度に折り曲げることにより、パネル構成体１０１の側面側のコーナー部分に使用することができるようになっている。
また、この破線状の切込み１３列に沿って、薄肉金属パネル２００を、正逆方向に数回繰り返し折り曲げることにより、薄肉金属パネル２００を所望のサイズに容易に切断することができるようになっている。
【００２３】
図６は、本発明の実施の形態における薄肉金属パネルの正面拡大図である。
図６に示すように、凸条１１の上面３１側には、円の一部分を残して表裏に貫通したＣ字状の切込み２１と、その切込み２１を設けずに残した円の一部分である折返部２２とが設けられて、蓋部１４を形成している。
この折返部２２に沿って蓋部１４を折り返すことにより、蓋部１４が開蓋状態になり、ボルト挿入孔１５が形成されるようになっている。
【００２４】
本実施の形態のパネル構成体１０１の底面１は、このような薄肉金属パネル２００の端部の凸条１１を重ねることで幅方向の長さを延長して、生育基盤１００を屋根の折板１０２の長さ方向に広げて構成する。
このとき、屋根の折板１０２の長さ方向（雨水の流出方向）に対して、薄肉金属パネル２００の長さ方向（凸条１１の方向）が互いに直角になるように配置して構成される。これによって、風向きに関係なく植物の生育に必要な充分な通気性を得ることが出来る。
一方、本実施の形態のパネル構成体１０１の側面４は、図７に示すように薄肉金属パネル２００の長さ方向が縦方向になるように配置して構成される。この縦方向の長さはここでは２０００ｍｍ程度であって、この薄肉金属パネル２００を組み合わせて敷き込んで、パネル構成体１０１を構成する。
【００２５】
底面１及び側面４とも薄肉金属パネル２００の端部は、断面コの字型のチャンネル２０１からなるランナー２、３やキャップ５で覆われて保持される。
図８に底面１の側辺端部を覆うランナー２の、図９（ａ）に側面４の下側端部を覆うランナー３の外観斜視図を、図９（ｂ）に側面４の上側端部を覆うキャップ５の外観斜視図を示す。
ランナー２、３は、側面または底面となる中間面２６とその両幅方向に連設されている２面の側面２７とにより構成され、これらの各面によって構成される空間２８に、底面１または側面４を構成する薄肉金属パネル２００の端部を挟み込んで保持するようになっている。
同様に、キャップ５は上面となる中間面３６とその両幅方向に連設されている２面の側面３７とにより構成され、これらの各面によって構成される空間３８に、側面４を構成する薄肉金属パネル２００の上端部を挟み込んで保持するようになっている。
【００２６】
さらに、パネル構成体１０１の各角の部分では、図１０に示されるようなコーナ部材６が用いられる。図１０（ａ）は底面側のコーナ部材６であり、図１０（ｂ）は上面側のコーナ部材６である。
コーナ部材６は直角に曲がったＬ字型面を持つ中間面７４とその両幅方向に連設されている２面の側面７５とを備え、これらの各面によって構成される空間７６に、ランナー２、３やキャップ５で覆われた薄肉金属パネル２００の端部を挟み込んで保持するようになっている。このコーナ部材６には、中間面７４及び各側面７５にそれぞれねじ用の開口７７ａ、７７ｂが設けられていて、この開口７７ａ、７７ｂにボルトを立てて薄肉金属パネル２００やランナー２、３やキャップ５に固定することができる。したがって、このコーナ部材６をパネル構成体１０１の各角部に設けることによって、パネル構成体１０１の強度を維持して構造を保つことができる。
なお、コーナ部材６の内側の側面７５の角部分には、薄肉金属パネル２００の挿入が容易になるように割り込みが入っている。
【００２７】
生育基盤１００を形成するには、まず、このような構成のパネル構成体１０１の底面１に透水シート１０５を敷く。透水シート１０５は生育基盤１００へ潅水された水を徐徐に透過させるとともに生育基盤１００に植えられた植物の根がこれよりも下に伸びるのを防ぐ防根の役割を果たすものである。
ついで、この透水シート１０５の上に軽量土１０６を埋め込む。軽量土１０６の代わりに植物の生育が可能なやしのみ繊維マットのようなマットを用いても良い。
そうしてこの軽量土１０６を埋め込む。軽量土１０６や繊維マットに植物の種を直接蒔くか、あるいは予め種や植物が植え込まれた植生マット１１０で被覆しても良い。
【００２８】
次に、この軽量土１０６または植生マット１１０の上に土やマットを押さえるために飛散防止ネット１０７を張る。
この飛散防止ネット１０７は、例えばステンレス製の紐状の針金１３０により植生マット１１０上に敷設固定される。
すなわち、針金１３０を飛散防止ネット１３０上に架け渡して、そのネット１３０が突風又は強風などで巻き上がったり、吹き飛ばされたりしないようにする。この紐状の針金１３０の両端は、それぞれ飛散防止ネット１３０上からパネル構成体１０１の側面４を経て、裏面側へ折り返し、ハゼつかみ金物１０４に結びつけて固定する。
例えば、針金１３０の一端を、ある折板１０２の山部の軒側に配置されたハゼつかみ金物１０４に結びつけ、もう一方の他端を、その折板１０２の山部とは異なる山部の棟側に配置されたハゼつかみ金物１０４に結びつける。
そうすると、図１に示すように、折板１０２山部の形成される方向とは非平行に針金１３０が架け渡されるので、平行に架け渡される場合と比べて、より効果的に飛散防止ネット１３０が引き飛ばされるのを防止することができる。
このようにして、本発明の屋上緑化システムに用いる植物の生育基盤１００が構成できる。
【００２９】
次に、この育成基盤１００を取付固定部３００により金属屋根の折板１０２上に取り付ける方法について説明する。
【００３０】
図１１は、その取付固定部３００を構成するハゼつかみ金物１０４を示す図であって、（ａ）は側面、（ｂ）は正面をそれぞれ示している。
図に示すように、ハゼつかみ金物１０４は、一対の同形状の金属部材が互いに噛合して構成されており、ボルトを締めると、その一対の金属部材の下方の先端がハゼ部を両側から挟む力が増し、薄肉金属パネル２００を折板１０２に強固に固定することができるようになっている。
なお、本実施の形態では、図に示すように、一対の金属部材により挟み込むハゼつかみ金物１０４を用いているが、その形状はこれに限定されない。ハゼつかみ金物１０４は、屋根のハゼの形状に応じて最適なものを用いるものとする。
【００３１】
また、図１２は、同様に取付固定部３００を構成するアングル３１０を示す斜視図である。
図に示すように、アングル３１０は、長板状の部材をその長手方向を軸に略直角に折り曲げて正面視略Ｌ字状に形成したものであり、長板状の上面板部３１１と、この上面板部１３１と略同形状の側面板部３１２とが略直角に連設されて構成される。
また、上面板部１３１には、その長手方向に沿って、ハゼつかみ金物１０４のボルトを挿入するための取付孔３１３が列状に複数設けられている。
【００３２】
図１３は、金属屋根の折板１０２の頂点（山部）にハゼ取合部１１１が設けられている場合において、その取付固定部３００を用いて、パネル構成体１０１を折板１０２に取り付ける方法を示す説明図である。
この場合、まず、ハゼ取合部１１１を挟むことにより、ハゼつかみ金物１０４を折板１０２の山部に沿って列状に複数取り付ける。次に、その折板１０２の山部上の複数のハゼつかみ金物１０４上にアングル３１０の上面板部３１１を載置して取り付ける。このとき、ハゼつかみ金物１０４から立ち上がっているボルトを上面板部３１１に設けられた取付孔３１３に挿入させる。
次に、そのアングル３１０上にパネル構成体１０１を載置して取り付ける。このとき、パネル構成体１０１の底面１の薄肉金属パネル２００の蓋部１４を折り返して開蓋状態にしたボルト挿入孔１５に、そのアングル３１０の取付孔３１３から立ち上がっているボルトを挿入し、そのボルト挿入孔１５から立ち上がっているボルトを座金とナット１０９で固定する。この蓋部１４のピッチは例えば５０ｍｍ程度であり、折板１０２の頂点の相互の間隔は、例えば３００〜５５０ｍｍ程度であるので、ボルト挿入孔１５の位置を折板１０２の頂点に合わせることが容易である。
【００３３】
このように、本実施の形態における屋上緑化システムは、パネル構成体１０１を、アングル３１０を介して屋根上に取り付けているので、パネル構成体１０１及び生育基盤１００の重量に十分に耐えて、撓らずに支持することが可能となっている。
【００３４】
本発明の屋上緑化システムは、さらに、自動散水システム１２０を備えて、適宜に散水を行わせることもできる。図１４に、このような自動散水システム１２０の一実施例の該略図をしめす。
自動散水システム１２０は、生育基盤１００上に配列された塩化ビニールチューブ１２１と、塩化ビニールチューブ１２１の本管と分岐部とをつなぐＴ字型連結具１２２と、塩化ビニールチューブ１２１に水を送り出すポンプ１２３と、雨水をためておく雨水タンク１２５と、ポンプ１２３を所定の時刻に駆動させるタイマー１２４と、雨水タンク１２５からポンプ１２３に至る水管を開閉するコック１２６と、雨水を集めて雨水タンク１２５に回収する雨樋１２７と、この雨樋１２７により集められた雨水を軒下や地下等に設置される雨水タンク１２５へ送水する縦管１２８を有して構成されている。
【００３５】
雨水は屋根から雨樋１２７及び縦管１２８を伝って雨水タンク１２５に溜められている。雨水で足りない場合は水道水で雨水タンク１２５を満たしても良い。また、この雨水タンク１２５の貯水量が一定量を超えると、自動的に下水管（図示せず）へ排水される。
予め決められた散水時刻になると、タイマー１２４が働いてポンプ１２３を駆動させ、塩化ビニールチューブ１２１の本管からＴ字型連結具１２２を経て分岐部へと加圧した雨水を送り出す。塩化ビニールチューブ１２１の分岐部には所定の位置に散水孔が設けられているので、ここから雨水が散布される。
これにより、散水時刻と散水終了時刻をタイマー１２４に設定しておけば、自動的に所定時刻に所定量の散水が可能になる。なお、散水を停止したい場合は、タイマー１２４をとめておくか、コック１２６を閉めて雨水タンク１２５からポンプ１２３に水が送られないようにしておけばよい。
この自動散水システム１２０を用いることにより、屋上緑化システムの保水性を利用してゆっくり雨水を気化させることができ、建物室内の熱負荷を軽減することができる。
なお、育成基盤１００からの水の透過量は、透水シート１０５の選択や、底面１での図６に示す蓋部１４の開閉の数や度合いによって広範囲に制御することが出来る。
【００３６】
ここで、簡単に、本実施の形態において、自動散水システム１２０を備える場合の屋上緑化システムの作成方法を図１５のフローチャートに添って説明する。
まず、折板屋根に記号や線を入れて位置決めのための墨だしを行う（ステップＳ１０１）。
次に、墨だし位置に基づいて、複数のハゼつかみ金物１０４を折板１０２の山部に沿って列状に装着する（ステップＳ１０２）。
【００３７】
次に、その列状に装着した複数のハゼつかみ金物１０４上にアングル３１０を装着する（ステップＳ１０３）。
【００３８】
さらに、底面１を構成する薄肉金属パネル２００を、折板１０２の各山部に装着されたアングル３１０の上面板部３１１上に敷き込み、ハゼつかみ金物１０４のボルトに座金とナット１０９で固定して取り付ける（ステップＳ１０４）。
このとき、薄肉金属パネル２００の長さ方向が、屋根を構成する折板１０２の長さ方向（雨水流出方向）に対して直角に配置するように薄肉金属パネル２００を敷き込む。
また、薄肉金属パネル２００は、隣接するパネル２００同士の端部が互いに重なるように敷き込まれる。このとき、互いに隣接するパネル２００のボルト挿入孔１５の位置が重なるようにし、この重なったボルト挿入孔１５に前述のハゼつかみ金物１０４のボルトを挿入し、このボルトにナットを締め付けて薄肉金属パネル２００を固定する。
【００３９】
次に、底面１の薄肉金属パネル２００の周囲にランナー２を取り付けるとともに、側面４の立ち上がり位置に側面４の下側を支えるランナー３を取り付け、このランナー３のコーナ部分に図１０（ａ）に示した底面側のコーナ部材６を被せた上でランナー３をランナー２にボルトで固定する（ステップＳ１０５）。
【００４０】
次に、側面４の薄肉金属パネル２００をランナー３に立て込んで、ランナー３の横方向からボルトで固定する（ステップＳ１０６）。
そうして側面４の上部にキャップ５を被せて横方向よりボルトで側面４に固定する。次に、このキャップ５のコーナ部分に図１０（ｂ）に示した上面側のコーナ部材６を取り付け、上側からキャップ５をボルトで固定する（ステップＳ１０７）。
このように、側面の薄肉金属パネル２００の上側（天端）の直線部分にキャップ５を被せ、コーナ部分にコーナ部材６を被せて、側面４の薄肉金属パネル２００の上側（天端）を一体化する。
なお、平板状の薄肉金属パネル２００をランナー３に立て込んで各側面４を形成するようにしてもよいし、前述のように、切込み１３列に沿って薄肉金属パネル２００を所定の角度に折り曲げて、パネル構成体１０１の側面側のコーナ部分に使用するようにしてもよい。
【００４１】
このようにして、パネル構成体１０１が構成された後、底面１の上に透水シート１０５を敷きこむ（ステップＳ１０８）。そうして軽量土１０６を透水シート１０５の上に敷設する（ステップＳ１０９）。
【００４２】
こうして出来た土の上に、植生マット１１０を敷いて植栽を植え込むか種子を蒔く（ステップＳ１１０）。
この植生マット１１０に植え込む植栽としては、セダム、コケ類又は岩だれ草などの対候性に優れた種類のものを選ぶことが好ましい。
【００４３】
この後、自動散水システム１２０を設置する（ステップＳ１１１）。
【００４４】
次に、自動散水システム１２０を設置した後、植生マット１１０上に飛散防止ネット１０７を敷き込んで生育基盤１００を構成する（ステップＳ１１２）。
【００４５】
そして、飛散防止ネット１０７上に針金１３０を架け渡して、その針金１３０の両端をパネル構成体１０１の外側からまわして底面１の裏側に引き出し、ハゼつかみ金物１０４に結びつけて、飛散防止ネット１０７を植生マット１１０上に固定する（ステップＳ１１３）。
このように、飛散防止ネット１０７で植生マット１１０を押さえることにより、強風や台風時に植栽が飛散するのを防ぐことが可能となる。また、パネル構成体１０１の底面１裏側を通過する風がパネル構成体１０１を上方に引き剥がそうとする揚力に対し、浮き上がらないようにしっかりと固定することが可能となる。
以上で、屋上緑化システムを完成する。
【００４６】
また、図１６は、自動散水システム１２０を備えない場合の屋上緑化システムの作成方法を示すフローチャートである。
この自動散水システム１２０を備えない場合は、ステップＳ１１１の工程が省かれている点を除いて、前述の自動散水システム１２０を備える場合と同様の工程を経て屋上緑化システムが作成される。
【００４７】
このように、本実施形態の屋上緑化システムは比較的簡単な作業によって屋根上に建設することが出来る。
【００４８】
以上のように、本実施の形態の屋上緑化システムは構成されるので、既成の薄肉金属パネル２００を用いて構成し、その蓋部１４をボルト挿入孔１５として使用できるので、植物の生育基盤１００の骨格となるパネル構成体１０１の組み立てが容易に実行でき、屋上緑化システムの施工能率を向上することができる。
また、組み立てたパネル構成体１０１は、軽量であるが、植栽の荷重や強い風にも耐えられる充分な強度を有するとともに、新築の屋根にも既存の屋根にも使え、錆びにくくアルカリにも強く、長期に亙って利用できる特性を備えている。
さらに、パネル構成体１０１の底面１を構成する薄肉金属パネル２００の長さ方向が、屋根を構成する折板１０２の長さ方向（雨水流出方向）に対して直角に配置されているので、どのような方向から風が吹いても風向きに関係なく、生育基盤１００の上下を風が抜けるので、屋根に熱がこもることがなく、また、植物の生育の障害となる結露や着霜の発生の危険が少なく、植物の生育に必要な充分な通気性が得られる。
また、この屋上緑化システムは、種子型、マット型、植生ロール型など広い植生の形態に対応でき、生育基盤１００の取り付け、配置を考えれば屋根上ばかりでなく、屋上やテラスなどにも用いることができる、広い利用が考えられる。
【図面の簡単な説明】
【００４９】
【図１】本発明に係る屋上緑化システムの上面図とパネル構成体の上面図である。
【図２】本発明に係る屋上緑化システムの側面断面図である。
【図３】本発明に係る屋上緑化システムに用いられるパネル構成体の外観斜視図である。
【図４】パネル構成体に用いられる薄肉金属パネルの外観斜視図である。
【図５】パネル構成体に用いられる薄肉金属パネルの断面図である。
【図６】パネル構成体に用いられる薄肉金属パネルの正面拡大図である。
【図７】パネル構成体の側面に用いられる薄肉金属パネルの外観図である。
【図８】パネル構成体の底面の側辺端部を覆うランナーの外観斜視図である。
【図９】（ａ）は、パネル構成体の側面の下側端部を覆うランナーの外観斜視図であり、（ｂ）は、側面の上側端部を覆うキャップの外観斜視図である。
【図１０】パネル構成体に用いられるコーナ部材の外観斜視図である。
【図１１】ハゼつかみ金物を示す図であって、（ａ）は側面図、（ｂ）は正面図である。
【図１２】取付固定部を構成するアングルを示す斜視図である。
【図１３】金属屋根の折板にハゼ取合部が設けられている場合の取り付け方法の説明図である。
【図１４】本発明に用いられる自動散水システムの該略図である。
【図１５】本発明の散水システムを備える場合の屋上緑化システムの作成方法を示すフローチャートである。
【図１６】本発明の散水システムを備えない場合の屋上緑化システムの作成方法を示すフローチャートである。
【符号の説明】
【００５０】
１    底面
２，３    ランナー
４    側面
５    キャップ
６    コーナ部材
１１  凸条
１２  リブ
１３  切込み
１４  蓋部
１５  ボルト挿入孔
１６  溝部
２１  切込み
２２  折返部
２６，３６，７４  中間面
２７，３２，３７，７５  側面
２８，３８，７６  空間
３１  上面
７７ａ，７７ｂ  開口
１００  生育基盤
１０１  パネル構成体
１０２  折板
１０３  鉄骨梁
１０４  ハゼつかみ金物
１０５  透水シート
１０６  軽量土
１０７  飛散防止ネット
１０９  座金、ナット
１１０  植生マット
１１１  ハゼ取合部
１１２  ボルト
１２０  自動散水システム
１２１  塩化ビニールチューブ
１２２  Ｔ字型連結具
１２３  ポンプ
１２４  タイマー
１２５  雨水タンク
１２６  コック
１２７  雨樋
１２８  縦管
１３０  針金
２００  薄肉金属パネル
３００  取付固定部
３１０  アングル
３１１  上面板部
３１２  側面板部
３１３  取付孔
【図１】
2010259409.tif 000003
【図２】
2010259409.tif 000004
【図３】
2010259409.tif 000005
【図４】
2010259409.tif 000006
【図５】
2010259409.tif 000007
【図６】
2010259409.tif 000008
【図７】
2010259409.tif 000009
【図８】
2010259409.tif 000010
【図９】
2010259409.tif 000011
【図１０】
2010259409.tif 000012
【図１１】
2010259409.tif 000013
【図１２】
2010259409.tif 000014
【図１３】
2010259409.tif 000015
【図１４】
2010259409.tif 000016
【図１５】
2010259409.tif 000017
【図１６】
2010259409.tif 000018